(57)【要約】【課題】構造が簡単であり、Ｈ型鋼等の梁への架設作業および分解作業の容易化を図ることができ、確実かつ安定して型枠を支持することができる型枠支持具およびこれを用いたスラブ施工方法を提供すること。【解決手段】Ｈ型鋼等の梁２１の間に型２２を支持する型枠支持具１であって、梁２１の上側のフランジ２１ａの下面に上面の一部を圧接された状態で当該上面の他の部分に型枠２２が載置される長尺な角材２を、角材２と別体に形成されているとともに、角材２の下面と梁２１の下側のフランジ２１ｂの上面との間に介装されて角材２を押上げる押上げ力を付与する上下方向に伸縮自在な支承体３からなることを特徴とする。【選択図】  図１
2015105552.tif 000002
【特許請求の範囲】
【請求項１】
Ｈ型鋼等の梁の間に型枠を支持する型枠支持具であって、
前記梁の上側のフランジの下面に上面の一部を圧接された状態で当該上面の他の部分に前記型枠が載置される長尺な角材を、前記角材と別体に形成されているとともに、前記角材の下面と前記梁の下側のフランジの上面との間に介装されて前記角材を押上げる押上げ力を付与する上下方向に伸縮自在な支承体からなる
ことを特徴とする型枠支持具。
【請求項２】
Ｈ型鋼等の梁の間に型枠を支持する型枠支持具であって、
前記梁の上側のフランジの下面に上面の一部を圧接された状態で当該上面の他の部分に前記型枠が載置される長尺な角材と、
前記角材と別体に形成されているとともに、前記角材の下面と前記梁の下側のフランジの上面との間に介装されて前記角材を押上げる押上げ力を付与する上下方向に伸縮自在な支承体と
を有することを特徴とする型枠支持具。
【請求項３】
前記支承体は、上下方向に移動自在な可動体と、当該可動体を上下方向に移動させる上下方向駆動機構とを有する
ことを特徴とする請求項１または請求項２に記載の型枠支持具。
【請求項４】
前記上下方向駆動機構は、前記可動体を上下方向に移動させるネジ機構またはエアシリンダ機構である
ことを特徴とする請求項３に記載の型枠支持具。
【請求項５】
支承体は、上端に前記角材を載置するトッププレートと、下端に前記下側のフランジ上に載置されるベースプレートとを有し、前記両プレートは前記フランジの長手方向と直行する方向への挿入側端部に傾斜面を有している
ことを特徴とする請求項１から請求項４のいずれか１項に記載の型枠支持具。
【請求項６】
請求項１から請求項５のいずれか１項に記載の型枠支持具を用いて前記梁に角材を固定し、梁に固定された角材の上面の前記他の部分に型枠を載置して形成したスラブの形成領域にコンクリートを打設し、前記コンクリートを固化させてスラブを形成した後に前記型枠支持具を除去する
ことを特徴とする型枠支持具を用いたスラブ施工方法。
【請求項７】
前記型枠が長さ固定の鋼製フラットデッキであり、このフラットデッキを一つの建造物の多層階に亘るスラブ形成に繰り返して使用する
ことを特徴とする請求項６に記載の型枠支持具を用いたスラブ施工方法。
【請求項８】
前記型枠が長さ可変の鋼製スライドデッキであり、このスライドデッキを鉄骨構造または鉄骨鉄筋コンクリート構造の建造物のスラブ形成に繰り返して使用する
ことを特徴とする請求項６に記載の型枠支持具を用いたスラブ施工方法。
【発明の詳細な説明】
【技術分野】
【０００１】
本発明は、建築物の床や天井等として機能するコンクリートスラブを施工する際に用いられる型枠の支持に好適な型枠支持具およびこれを用いたコンクリートスラブ施工方法に関する。
【背景技術】
【０００２】
従来より、建築物の床や天井等として機能するコンクリートスラブの施工方法として、コンクリートスラブの形成予定領域にデッキプレートやフラットデッキ等の鋼製型枠を配置し、この型枠によって形成された前記予定領域にコンクリートを流し込んで（打設して）固化させる方法が多用されている（例えば、特許文献１参照）。この鋼製型枠は、以前の木製合板を型枠として使用する場合に比べ、型枠支持のために既設の下層階から型枠の配置位置に到達するように立設される支柱（支保工）を不要とすることができ、あるいは梁間のスパンが長い場合でも支保工の数を大幅に減らすことが可能であり、工期短縮と経費節減を図ることができる。
【０００３】
しかし、この鋼製型枠を鉄骨構造などＨ型鋼等の梁を有する建造物に適用する場合には、崩落防止の観点から型枠を梁に溶接して固定することが一般的であり、コンクリートが固まりスラブ形成が済んだ後もフラットデッキ等の鋼製型枠は取り外すことができず、建造物の一部としてそのまま残されることになる（捨型枠工法）。従って、鋼製型枠の資材や資源が再利用できず無駄であり、また残った鋼製デッキの発錆による外観不良を生ずる等の問題もあった。
【０００４】
一方、鋼製型枠においても繰り返し再利用することを前提に、梁と梁とのスパンの異なる現場でも適用できる「スライドデッキ」と呼ばれるデッキ長さ可変の鋼製型枠が開発されている（特許文献１）。しかし、このスライドデッキは繰り返し利用することが前提のため、溶接による固定法が一般的な鉄骨構造の建造物には適用できなかった。
【０００５】
これらの対策として、溶接によるデッキ固定に代えて、例えば、特許文献２、３、４に示すように、上下に対向して配置される一対のフランジを有するＨ型鋼等によって構成される梁の当該一対のフランジ間に取り付けた型枠支持具をもって型枠を支持することも提案されている。特許文献２、３、４の型枠支持具を用いる型枠の固定法によれば、スラブ施工後に型枠を取り外すことができ、デッキプレートやフラットデッキを繰り返して再利用することが可能となる。
【先行技術文献】
【特許文献】
【０００６】
【特許文献１】特開２００６−４６００２号公報
【特許文献２】特開平０１−２６８９６７号公報
【特許文献３】実開平０５−０６７７５０号公報
【特許文献４】実開昭５０−０３９０２８号公報
【発明の概要】
【発明が解決しようとする課題】
【０００７】
しかしながら、前記特許文献２、３、４においては、それぞれ次のような問題点がある。
【０００８】
前記特許文献２に記載の型枠支持具によれば、型枠としてのビーム材をＨ型鋼等の梁に支持する支持具を上下方向に伸縮する伸縮棒を伸長させて梁の上下一対のフランジ間に固定するように形成されている。ところが、当該伸縮棒を型枠支持具の両端部（フランジの長手方向の両端部）にそれぞれ設ける必要（一対を設ける必要）があり、構造が複雑であるとともに、一対の伸縮棒を伸縮操作する作業に手間がかかるという不都合があった。また、梁の上側のフランジと型枠支持具の支持板との間に型枠の端部を挿入して型枠を支持するものであるために、型枠端部の挿入や固定作業が複雑となるという不都合があった。
【０００９】
また、特許文献３に記載の型枠支持具によれば、型枠としてのデッキプレートを支持する嵌合治具として、長尺な角柱状の受材とその下面に所定間隔毎に突設した複数の脚柱とによって形成し、梁の下側のフランジと各脚柱の下面との間に楔状のキャンバーを水平方向に打ち込むことによって前記嵌合治具を梁の上下のフランジ間に楔力をもって固定するようにしている。ところが、この嵌合治具は長尺の受材の下面に複数の脚柱を所定間隔毎に突設して形成されているために、取り付け現場への搬入・搬出作業が繁雑となり、また、楔状のキャンバーを打ち込むので、各脚柱が前記楔力の上向き成分力の他に横向き成分力も受けしまって横方向に移動する恐れがあり、嵌合治具を梁に対して適正に取付ることが困難となったり、取付状態が不安定となり、更に、スラブ施工後の型枠支持具の分解時にキャンバーの引き抜き作業が困難になる等の不都合があった。また脚柱の長さが可変ではないので、適用するＨ型鋼毎にその寸法に合わせて型枠支持具も各種用意する必要があった。
【００１０】
また、特許文献４に記載の型枠支持具によれば、角材を支持する腕片を備えた支持具が、Ｈ型鋼等の梁の上下一対のフランジ間に挿入され、ねじ棒とナットを回転させて支持具の長さを伸長させフランジ間に固定されるように形成されている。角材は、梁に平行で且つ梁から少し離れた状態で支持されており、この角材の上に型枠が載置される。ところが、角材は腕片に設けられたコ状切欠の上に載架されるだけで固定されていないので、梁に平行方向に移動する恐れがあり不安定であった。また、腕片に偏心荷重がかかるのでこの対応として回転可能な上端金具を取り付けるなど構造が複雑となり、支持具固定の作業性も劣るなどの問題があった。
【００１１】
本発明はこれらの点に鑑みてなされたものであり、構造が簡単であり、Ｈ型鋼等の梁への架設作業および分解作業の容易化を図ることができ、確実かつ安定して型枠を支持することができる型枠支持具およびこれを用いたスラブ施工方法を提供することを目的とする。
【課題を解決するための手段】
【００１２】
前記の課題を解決するために、本発明の第１の態様の型枠支持具は、Ｈ型鋼等の梁の間に型枠を支持する型枠支持具であって、前記梁の上側のフランジの下面に上面の一部を圧接された状態で当該上面の他の部分に前記型枠が載置される長尺な角材を、前記角材と別体に形成されているとともに、前記角材の下面と前記梁の下側のフランジの上面との間に介装されて前記角材を押上げる押上げ力を付与する上下方向に伸縮自在な支承体からなることを特徴とする。
【００１３】
また、第２の態様の型枠支持具は、Ｈ型鋼等の梁の間に型枠を支持する型枠支持具であって、前記梁の上側のフランジの下面に上面の一部を圧接された状態で当該上面の他の部分に前記型枠が載置される長尺な角材と、前記角材と別体に形成されているとともに、前記角材の下面と前記梁の下側のフランジの上面との間に介装されて前記角材を押上げる押上げ力を付与する上下方向に伸縮自在な支承体とを有することを特徴とする。
【００１４】
また、第３の態様の型枠支持具は、第１または第２の態様の型枠支持具において、前記支承体が、上下方向に移動自在な可動体と、当該可動体を上下方向に移動させる上下方向駆動機構とを有することを特徴とする。
【００１５】
また、第４の態様の型枠支持具は、第３の態様の型枠支持具において、前記上下方向駆動機構は、前記可動体を上下方向に移動させるネジ機構またはエアシリンダ機構であることを特徴とする。
【００１６】
また、第５の態様の型枠支持具は、第１から第４のいずれかの態様の型枠支持具において、支承体は、上端に前記角材を載置するトッププレートと、下端に前記下側のフランジ上に載置されるベースプレートとを有し、前記両プレートは前記フランジの長手方向と直交する方向への挿入側端部に傾斜面を有していることを特徴とする。
【００１７】
また、第１の態様の型枠支持具を用いたスラブ施工方法は、第１から第５のいずれかの態様の型枠支持具型枠支持具を用いて前記梁に角材を固定し、梁に固定された角材の上面の前記他の部分に型枠を載置して形成したスラブの形成領域にコンクリートを打設し、前記コンクリートを固化させてスラブを形成した後に前記型枠支持具を除去することを特徴とする。
【００１８】
また、第２の態様の型枠支持具を用いたスラブ施工方法は、前記型枠が長さ固定の鋼製フラットデッキであり、このフラットデッキを一つの建造物の多層階に亘るスラブ形成に繰り返して使用することを特徴とする。
【００１９】
また、第３の態様の型枠支持具を用いたスラブ施工方法は、前記型枠が長さ可変の鋼製スライドデッキであり、このスライドデッキを鉄骨構造または鉄骨鉄筋コンクリート構造の建造物のスラブ形成に繰り返して使用することを特徴とする。
【発明の効果】
【００２０】
このような本発明の各態様の型枠支持具を用いて各態様のスラブ施工方法を行うことによれば、支承体を縮めた状態でＨ型鋼等の梁の上下のフランジ間に角材を上に載置した状態で挿入し、その後支承体の長さを伸長させて角材を押上げて、角材の上面の一部を上側のフランジの下面に圧接させて固定することにより、角材の上面の他の部分に型枠の端部を載置して設置することができるようになる。その後にスラブの形成領域にコンクリートを打設することによりスラブを施工することができる。その後に、支承体の長さを収縮させることにより型枠支持具および型枠を分解して取り除くことができる。そして本発明の型枠支持具は、ひとつの同じ型枠支持具で、Ｈ型鋼や角材の広いサイズ範囲に適用可能である。このように本発明の型枠支持具およびこれを用いたスラブ施工方法は、型枠支持具を含む全体の構造が簡単であり、Ｈ型鋼等の梁への架設作業および分解作業の容易化を図ることができ、確実かつ安定して型枠を支持することができる等の優れた作用効果を発揮することができる。
【００２１】
また、これまで鉄骨構造において一回きりの捨型枠として使用されていた固定寸法のフラットデッキについて、同じデッキを複数回繰り返して使用することを可能とし、資材・資源の有効利用を図ることができる。特に、一つの建造物の多層階に亘るスラブ施工において、本発明の型枠支持具を用いるスラブ施工法によれば、現場へ搬入するデッキ数を大幅に少なくすることができ効果的である。
【００２２】
また、スライドデッキなど繰り返し利用が前提の鋼製型枠について、従来の鉄筋コンクリート構造でのスラブ施工だけでなく、Ｈ型鋼等の梁を有する鉄骨構造や鉄骨鉄筋コンクリート構造の建造物のスラブ施工にも適用範囲を拡大することが可能となる。
【００２３】
さらに、フラットデッキなどの鋼製型枠を、繰り返し使用した後に最終的には建築物から取り外すことができるので、使用済みの鋼製型枠を鋼スクラップとして売却しリサイクルすることも可能となり、スラブ施工をする施工業者にとっては、デッキ購入費用の一部を回収できるという利点を有する。
【図面の簡単な説明】
【００２４】
【図１】本発明の型枠支持具の１実施形態を示すスラブ施工状態を示す一部切断正面図
【図２】図１の型枠支持具の一部切断右側面図
【図３】図１の要部斜視図
【図４】本発明の型枠支持具の他の実施形態を示す（ａ）正面図、（ｂ）（ａ）の右側面図、（ｃ）回転プレートの平面図
【発明を実施するための形態】
【００２５】
以下、本発明の実施の形態について、図１〜図４について詳細に説明する。
【００２６】
図１〜図３は本発明の型枠支持具の一実施形態を示す。
【００２７】
図１および図２においては、本実施形態の型枠支持具１を用いてＨ型鋼からなる梁２１に対してフラットデッキやスライドデッキ等からなる公知の型枠２２を架設した状態を示している。この型枠２２は、従来の合板型枠の代替材となる床型枠用鋼製デッキプレートであり、建築物の床および屋根のスラブなどのコンクリート打設時に使用される板厚０．８〜１．６ｍｍ程度の薄鋼板製の型枠材である。フラットデッキは、長さ固定の鋼製フラットデッキを用いるとよく、仮設床面となるデッキ上面が平らなタイプのデッキプレートであり、スライドデッキは、長さ可変の鋼製スライドデッキを用いるとよく、２枚のプレートを一部重なるように組み合わせ長さを調節可能としたデッキプレートである。
【００２８】
本発明の型枠支持具１は、梁２１の上側のフランジ２１ａと下側のフランジ２１ｂとの間に上下に別体として介装される角材２と支承体３とのうち、支承体３のみを型枠支持具１ａとする場合と、両者の角材２および支承体３を合わせて型枠支持具１ｂとする場合がある。
【００２９】
一方の角材２は、所定大の正方形断面を有する長尺形状をしており、梁２１の上側のフランジ２１ａの下面に上面の一部（正方形断面の一辺の約半分）を圧接された状態で梁２１と平行にして両フランジ２１ａ、２１ｂ間に介装される。角材２の素材としては特に限定されないが木製とするとよい。木製角材の場合、型枠２２を釘やねじ釘１４等で容易に角材２に固定することができる。また、スラブ形成後に釘やねじ釘１４等を抜くことで、角材２と型枠２２が容易に分離することが可能となる。
【００３０】
他方の支承体３は、鋼にメッキを施した金属若しくはステンレス等の金属製であり、角材２と別体に形成されているとともに、角材２の下面と梁２１の下側のフランジ２１ｂの上面との間に介装されて角材２を押上げる押上げ力を付与するように上下方向に伸縮自在に形成されている。
【００３１】
支承体３を更に説明すると、支承体３は、上下方向に移動自在な可動体４と、可動体４を上下方向に移動させる上下方向駆動機構としてのネジ機構５とを有している。一方のネジ機構５は、主として下側のフランジ２１ｂ上に載置されるベースプレート６に鉛直上方向に延出するように固定された支柱ボルト７にナット８を螺合させて形成されている。ナット８の下端部分にはナット８の回動時に用いる略十字形の回転プレート９が固着されている。他方の可動体４は、主として角材２の下面に圧接されるトッププレート１０から鉛直下方向に延出するように固定されているとともに支柱ボルト７の上部外側に遊装される支柱パイプ１１と、この支柱パイプ１１とトッププレート１０とに溶接された補強用プレート１２とによって形成されている。支柱パイプ１１が支柱ボルト７に遊装されているので、ナット８の回動時にトッププレート１０の連れ回りが防止される。両ベースプレート６およびトッププレート１０には、フランジ２１ａ、２１ｂの長手方向と直交する方向への挿入を容易とするために、挿入側端部を屈曲させて傾斜面６ａ、１０ａを設けている。
【００３２】
次に、本実施形態によるスラブ施工方法を説明する。
【００３３】
まず、型枠２２を設置すべき梁２１の上側のフランジ２１ａの下面に角材２の上面の一部を当接させた状態に保持し、型枠支持具１のネジ機構５のナット８を回転調整して両ベースプレート６およびトッププレート１０の間隔を下側のフランジ２１ｂの上面と角材２の下面との間隔より小さくした状態で、両ベースプレート６およびトッププレート１０をフランジ２１ａ、２１ｂの長手方向と直交する方向から各傾斜面６ａを１０ａ前方向きにして挿入して、トッププレート１０上に角材２を載置する。この時、ベースプレート６においては、手前側端部に下向きに屈曲させたストッパ部６ｂを下側のフランジ２１ｂの外方端縁部に当接させる等によって所定位置まで挿入させるとよい。また、トッププレート１０においては、手前側端部に上向きに屈曲させたストッパ部１０ｂを角材２の外方端縁部に当接させる等によって所定位置まで挿入させるとよい。これによってＨ型鋼からなる梁２１と支承体３、角材２の位置決めが確実にできる。
【００３４】
次に、上下方向駆動機構としてのネジ機構５の回転プレート９をもってナット８を支柱ボルト７に沿って上昇させて可動体４を次第に上昇させてゆき、最終的に角材２の上面の一部を上側のフランジ２１ａの下面に圧接させて、角材２および支承体３を梁２１の上下のフランジ２１ａ、２１ｂ間に展張させた状態にして固定する。回転プレート９は手動で回転させ易いように、その周囲に略十字形のツバが設けてある。角材２がフランジ２１ａの下面に接触するまで手動で回転プレート９を回し、その後スパナなどの工具を用いてナット８を締め付けることにより、固定作業を素早く簡単で確実に行うことができる。また、例えば、回転プレート９の側面に穴を開けておけば、これに棒などを突っ込んで梃子を利用してプレートを締め付けることも可能である。
【００３５】
この時、ベースプレート６に設けたストッパ６ｂを下側のフランジ２１ｂと係合刺させることにより、支柱ボルト７の連れ回りが有効に防止されて、ナット８の締め付け作業が行われる。トッププレート１０と角材２とは、トッププレート１０のストッパ１０ｂに穿設した小孔（図示せず）を貫通させた釘やねじ釘１３をもって相互に固定するとよい。また、この釘１３はトッププレート１０と角材２との位置決め用として用いてもよい。
【００３６】
その後、対面する一対の梁２１間に型枠２２を掛け渡して端部２２ａを角材２の上面のフランジ２１ａから露出している他の部分に載置し、端部２２ａに穿設した小孔（図示せず）を貫通させた釘やねじ釘１４をもって相互に固定するとよい。
【００３７】
その後、多数の型枠２２によって形成されたスラブの形成領域にコンクリートを打設して、乾燥・固化させる。これにより、スラブの形成が終了する。
【００３８】
更に、コンクリートの乾燥・固化後に、型枠支持具１のネジ機構５のナット８を弛めるように回転させて、トッププレート１０と角材２との圧設状態を解除し、その後、角材２、支承体３および型枠２２を形成されたスラブから除去する。除去された角材２、支承体３および型枠２２は、釘やねじ釘等１３、１４を抜いて互いに分離した後、他の現場において再利用される。
【００３９】
このように本実施形態の型枠支持具１（１ａ、１ｂ）を用いてスラブの施工を行うことができる。具体的には、支承体３を縮めた状態でＨ型鋼等の梁２１の上下のフランジ２１ａ、２１ｂ間に角材２を上に載置した状態で挿入し、その後支承体３の長さを伸長させて角材２を押上げて、角材２の上面の一部を上側のフランジ２１ａの下面に圧接させて固定することにより、角材２の上面の他の部分に型枠２２の端部を載置して設置することができる。その後にスラブの形成領域にコンクリートを打設することによりスラブを施工することができる。その後に、支承体３の長さを収縮させることにより型枠支持具１（１ａ、１ｂ）および型枠２２を分解して取り除くことができる。このように本実施形態の型枠支持具１（１ａ、１ｂ）およびこれを用いたスラブ施工方法は、型枠支持具１（１ａ、１ｂ）を含む全体の構造が簡単となり、Ｈ型鋼等の梁２１への架設作業および分解作業の容易化を図ることができ、確実かつ安定して型枠２２を支持することができる等の優れた作用効果を発揮することができる。
【００４０】
なお、本発明は前記実施形態に限定されるものではなく、必要に応じて変形することができる。
【００４１】
例えば、支承体３の上下方向駆動機構としては、ネジ機構５に代えて長手方向に伸縮するエアシリンダ機構を用いても良い。
【００４２】
支承体３の形状も、例えば図４の他の実施形態に示すように、支柱１１に取り付ける補強用プレート１２を一枚としたり、トッププレート１０や回転プレート９の形状（同（ｃ）中の鎖線は図１の実施形態の回テンプレート９の平面形状を示している）も種々変更が可能である。
【００４３】
また、型枠２２を掛け渡す梁２１の一方がＨ型鋼であり、他方がバタ角である場合には、一方がＨ型鋼の梁２１の部分に本発明の型枠支持具１（１ａ、１ｂ）を適用するとよい。
【符号の説明】
【００４４】
１、１ａ、１ｂ  型枠支持具
２  角材
３  支承体
４  可動体
５  ネジ機構
６  ベースプレート
１０  トッププレート
２１  梁
２２  型枠
【図１】
2015105552.tif 000003
【図２】
2015105552.tif 000004
【図３】
2015105552.tif 000005
【図４】
2015105552.tif 000006